(57)【要約】【課題】洗浄力を向上できる氷粒子噴射装置及び氷粒子噴射方法を提供する。【解決手段】一端に圧縮空気の流入口６４ａを開口して他端に噴射口４６を開口した噴射ノズル４５により微細な氷粒子を噴射する氷粒子噴射装置４０において、噴射ノズル４５が、下流側に向かって流路面積を漸次縮小した縮小管部６１と、縮小管部６１の下流に連続して流路面積を略一定に形成される喉部６２と、喉部６２の下流に連続して下流側に向かって流路面積を漸次拡大した拡大管部６３とを有し、拡大管部６３の内壁６３ａ上に水滴を滞留させて凍結し、内壁６３ａ上に堆積した氷を気流により剥離して噴射口４６から噴射する。【選択図】図４
2018001043.tif 000002
【特許請求の範囲】
【請求項１】
一端に圧縮気体の流入口を開口して他端に噴射口を開口した噴射ノズルにより微細な氷粒子を噴射する氷粒子噴射装置において、
前記噴射ノズルが、下流側に向かって流路面積を漸次縮小した縮小管部と、前記縮小管部の下流に連続して流路面積を略一定に形成される喉部と、前記喉部の下流に連続して下流側に向かって流路面積を漸次拡大した拡大管部とを有し、
前記拡大管部の内壁上に水滴を滞留させて凍結し、前記内壁上に堆積した氷を気流により剥離して前記噴射口から噴射することを特徴とする氷粒子噴射装置。
【請求項２】
前記拡大管部の内壁の軸方向に対する傾斜角度を１．５°〜６°にしたことを特徴とする請求項２に記載の氷粒子噴射装置。
【請求項３】
前記喉部の軸方向の長さを５〜１５ｍｍにしたことを特徴とする請求項２に記載の氷粒子噴射装置。
【請求項４】
前記喉部の周壁に設けた開口部を介して気流に対して略垂直方向に給水することを特徴とする請求項１〜請求項３のいずれかに記載の氷粒子噴射装置。
【請求項５】
一端に圧縮気体の流入口を開口して他端に噴射口を開口した噴射ノズルにより微細な氷粒子を噴射する氷粒子噴射方法において、
前記噴射ノズルが、下流側に向かって流路面積を漸次縮小した縮小管部と、前記縮小管部の下流に連続して流路面積を略一定に形成される喉部と、前記喉部の下流に連続して下流側に向かって流路面積を漸次拡大した拡大管部とを有し、
前記拡大管部の内壁上に水滴を滞留させて凍結し、前記内壁上に堆積した氷を気流により剥離して前記噴射口から噴射することを特徴とする氷粒子噴射方法。
【発明の詳細な説明】
【技術分野】
【０００１】
本発明は、氷粒子を生成して噴射する氷粒子噴射装置及び氷粒子噴射方法に関する。
【背景技術】
【０００２】
従来の氷粒子噴射装置は特許文献１に開示されている。この氷粒子噴射装置は一端に圧縮空気の流入口を開口して他端に噴射口を開口したノズルにより微細な氷粒子を噴射し、半導体基板等の被洗浄物を洗浄する。
【０００３】
ノズルは縮小管部、拡大管部及び洗浄液供給管を有している。縮小管部は上流端に流入口を開口し、下流側に向かって流路面積が漸次縮小される。拡大管部は縮小管部の下流に連続して配され、下流側に向かって流路面積が漸次拡大される。拡大管部の下流端には噴射口が開口する。洗浄液供給管は軸方向に延び、縮小管部と拡大管部との境界の喉部近傍から拡大管部に向けて軸方向に水を噴射する。
【０００４】
上記構成の氷粒子噴射装置において、流入口から圧縮空気が供給され、洗浄液供給管から水が供給される。気流は縮小管部によって加速されて喉部で音速に到達し、拡大管部を超音速で流通して水を急激に冷却する。これにより、水の一部が微細な氷粒子となるとともに、残りが過冷却の水滴となる。噴射口から噴射された氷粒子及び過冷却の水滴が被洗浄物に衝突する。この時、過冷却の水滴は衝突時の衝撃により氷粒子に相変化し、氷粒子の一部は融解する。これにより、氷粒子と水とが混合したシャーベット状の洗浄材によって被洗浄物が洗浄される。
【先行技術文献】
【特許文献】
【０００５】
【特許文献１】特開２００７−７３６１５号公報
【発明の概要】
【発明が解決しようとする課題】
【０００６】
しかしながら、上記従来の氷粒子噴射装置によると、拡大管部が軸方向に長いと装置が大型になる。このため、拡大管部を軸方向に短く形成すると、気流が超音速となるため水滴が凍結する前に拡大管部を通過して氷の生成量が少なくなる。また、氷粒子の粒子径が小さいため、噴出口から被洗浄物に到達する前に外気温により氷が融解して被洗浄物に到達する氷の量が少なくなる。特に、氷粒子噴射装置を屋外に設置した場合に、噴射口と被洗浄物との距離が大きくなるとともに夏期等において外気温が高温となる。このため、被洗浄物に到達する氷の量が著しく減少する。従って、被洗浄物に対する十分な洗浄効果が得られない問題があった。
【０００７】
本発明は、被洗浄物に到達する氷粒子の量を増加させて洗浄力を向上できる氷粒子噴射装置及び氷粒子噴射方法を提供することを目的とする。
【課題を解決するための手段】
【０００８】
上記目的を達成するために本発明は、一端に圧縮気体の流入口を開口して他端に噴射口を開口した噴射ノズルにより微細な氷粒子を噴射する氷粒子噴射装置において、前記噴射ノズルが、下流側に向かって流路面積を漸次縮小した縮小管部と、前記縮小管部の下流に連続して流路面積を略一定に形成される喉部と、前記喉部の下流に連続して下流側に向かって流路面積を漸次拡大した拡大管部とを有し、前記拡大管部の内壁上に水滴を滞留させて凍結し、前記内壁上に堆積した氷を気流により剥離して前記噴射口から噴射することを特徴とする。
【０００９】
また、本発明は上記構成の氷粒子噴射装置において、前記拡大管部の内壁の軸方向に対する傾斜角度を１．５°〜６°にしたことを特徴とする。
【００１０】
また、本発明は上記構成の氷粒子噴射装置において、前記喉部の軸方向の長さを５〜１５ｍｍにしたことを特徴とする。
【００１１】
また、本発明は上記構成の氷粒子噴射装置において、前記喉部の周壁に設けた開口部を介して気流に対して略垂直方向に給水する。
【００１２】
また本発明は、一端に圧縮気体の流入口を開口して他端に噴射口を開口した噴射ノズルにより氷粒子を噴射する氷粒子噴射方法において、前記噴射ノズルが、下流側に向かって流路面積を漸次縮小した縮小管部と、前記縮小管部の下流に連続して流路面積を略一定に形成される喉部と、前記喉部の下流に連続して下流側に向かって流路面積を漸次拡大した拡大管部とを有し、前記拡大管部の内壁上に水滴を滞留させて凍結し、前記内壁上に堆積した氷を気流により剥離して前記噴射口から噴射することを特徴とする。
【発明の効果】
【００１３】
本発明によると、噴射ノズルが縮小管部と拡大管部との間に流路面積が略一定の喉部を有し、拡大管部の内壁上に水滴を滞留させて凍結し、内壁上に堆積した氷を気流により剥離して噴射する。このため、滞留によって水滴の冷却時間が長くなり、氷粒子の生成量を増加させることができる。また、拡大管部の内壁上に氷が堆積するため、氷粒子の粒径を大きくすることができる。これにより、氷粒子の噴射量が増加するとともに噴射後の氷粒子の融解による減少が抑制される。従って、被洗浄物に到達する氷粒子の量を増加させることができ、被洗浄物に対する洗浄力を向上することができる。
【図面の簡単な説明】
【００１４】
【図１】本発明の一実施形態の洗車機を示す側面図
【図２】本発明の一実施形態の洗車機を示す正面図
【図３】本発明の一実施形態の洗車機の洗浄装置を示す概略構成図
【図４】本発明の一実施形態の洗車機の氷粒子噴射装置を示す側面断面図
【図５】本発明の一実施形態の洗車機の氷粒子噴射装置の使用状態を示す側面断面図
【発明を実施するための形態】
【００１５】
以下に図面を参照して本発明の実施形態を説明する。図１、図２は本発明の一実施形態の洗車機を示す側面図及び正面図である。洗車機ＷＡは自動車から成る被洗浄車両ＣＡを洗浄し、洗車機本体１、レール２及びリモートパネル７Ａを備えている。洗車機本体１は左右の対向する２つのスタンド部９０と、スタンド部９０の上端を連結する天井部９１とを有した門型に形成される。
【００１６】
レール２は地面Ｇ上に左右一対設けられ、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００１７】
リモートパネル７Ａは洗車機本体１の進入経路Ｓ上に配される。被洗浄車両ＣＡはリモートパネル７Ａの面前で停車し、ユーザは被洗浄車両ＣＡ内からリモートパネル７Ａの操作によって洗車条件の設定を行う。
【００１８】
リモートパネル７Ａに設けたボタンにより、フロントガードあり、フェンダーポールあり、サイドミラーあり、リヤワイパあり、ルーフキャリアあり等の装備品の有無の洗車条件を設定することができる。
【００１９】
洗車機本体１の一方のスタンド部９０の前面には操作パネル７が配される。操作パネル７は洗車条件を設定するリモートパネル７Ａと同様の操作ボタン（不図示）を備えている。
【００２０】
洗車機本体１の両側のスタンド部９０の前部（入口側）には形状センサ８、９が設けられている。形状センサ８、９は光電センサや超音波センサ等から成り、洗車機本体１に進入する被洗浄車両ＣＡの外面形状を検知する。これにより、洗車機本体１の走行範囲が決められる。
【００２１】
洗車機本体１には被洗浄車両ＣＡを洗浄する洗浄装置４０及び被洗浄車両ＣＡを乾燥させる乾燥装置２５が設けられる。乾燥装置２５は気流を発生するブロア２０（送風装置）を備え、ブロア２０にはサイド送風ノズル２２及びトップ送風ノズル２１が接続される。サイド送風ノズル２２はスタンド部９０の後端部にそれぞれ設けられ、被洗浄車両ＣＡの側面に向けて送風する。トップ送風ノズル２１は天井部９１の後部に設けられ、被洗浄車両ＣＡの上面に向けて送風する。なお、ブロア２０は送風ファンでもよい。
【００２２】
洗浄装置４０は各スタンド部９０に上下方向に延びて設けられるサイド洗浄部１２と、天井部９１に左右方向に延びて設けられるトップ洗浄部１１とを有する。詳細を後述するように、サイド洗浄部１２及びトップ洗浄部１１は微細な氷粒子Ｗ１（図３参照）を噴射して被洗浄車両ＣＡを洗浄する。
【００２３】
サイド洗浄部１２はスタンド部９０に設けられた案内部（不図示）により左右方向に案内される。これにより、サイド洗浄部１２が被洗浄車両ＣＡに対して近接可能に設けられる。トップ洗浄部１１は天井部９１に設けられた案内部（不図示）により上下方向に案内される。これにより、トップ洗浄部１１が被洗浄車両ＣＡに対して近接可能に設けられる。
【００２４】
図３は洗浄装置４０の概略構成図を示している。洗浄装置４０は複数の噴射ノズル５５を備えている。同図は一の噴射ノズル５５に対する接続状態を示しているが、他の噴射ノズル５５に対しても同様に接続される。噴射ノズル５５は前端（下流端）に噴射口５６を開口し、後端（上流端）に流入口５７ａを開口している。
【００２５】
流入口５７ａにはサイド洗浄部１２及びトップ洗浄部１１（図２参照）に接続されたダクトホース３８を介してブロア２０（図２参照）が接続される。このため、ブロア２０から送出される空気は流入口５７ａを介して噴射ノズル５５に流入する。尚、ブロア２０からサイド送風ノズル２２及びトップ送風ノズル２１に接続される経路と、サイド洗浄部１２及びトップ洗浄部１１に接続される経路とを切り替え可能になっている。
【００２６】
噴射ノズル５５は噴射ノズル４５を内装する円筒状の内装部５７を有している。内装部５７の下流側には内面を円錐面に形成した加速部５８が設けられる。加速部５８は噴射ノズル４５の噴射口４６の下流で流路を絞り、流入口５７ａから流入する気流を加速する。加速部５８の長さ及び流路径を適切に形成し、噴射ノズル４５の噴射口４６から噴射された氷粒子Ｗ１を所望の流速に加速して噴射口５６から噴射することができる。
【００２７】
加速部５８の下流側には円筒状の分散部６０が設けられる。噴射口５６は噴射口４６に対向して分散部６０の先端に開口する。内装部５７、加速部５８及び分散部６０の軸線Ｓは一直線上に配され、軸線Ｓ上に噴射口４６、５６が配される。
【００２８】
噴射口５６から噴射される氷粒子Ｗ１の噴射角度αは分散部６０の軸線Ｓ方向の長さによって変化する。即ち、分散部６０が短くなると噴射角度αが狭く、分散部６０が長くなると噴射角度αが大きくなる。このため、分散部６０の長さを適切に形成し、氷粒子Ｗ１を所望の噴射角度αで噴射口５６から噴射することができる。これにより、噴射口５６の前方における単位体積当たりの氷粒子Ｗ１の数量を所望の量に形成することができる。
【００２９】
本実施形態では加速部５８の軸方向の長さＬ４を９１ｍｍに形成し、分散部６０の軸方向の長さＬ５を３７ｍｍに形成している。これにより、加速部５８が分散部６０よりも軸方向に長く形成される。また、噴射口５６の口径Ｄ５を１５ｍｍに形成し、内装部５７の内径Ｄ４を３６ｍｍに形成している。
【００３０】
図４は噴射ノズル４５の側面断面図を示している。噴射ノズル４５は縮小拡大管からなり、下流に向って筒部６４、縮小管部６１、喉部６２、拡大管部６３、筒部６５を有している。筒部６４は上流端に流入口６４ａを開口し、流路面積が略一定の円筒状に形成される。本実施形態では筒部６４の内径Ｄ１が６．３５ｍｍに形成されている。流入口６４ａは配管４１ｂを介してコンプレッサ４３に接続されている。
【００３１】
縮小管部６１は筒部６４の下流に連続して配され、下流側に向かって流路面積を漸次縮小する。本実施形態では縮小管部６１の軸方向の長さＬ１が１３ｍｍに形成されている。
【００３２】
喉部６２は縮小管部６１の下流に連続して配され、流路面積が略一定の円筒状に形成される。本実施形態では喉部６２の内径Ｄ２が２．７ｍｍに形成され、軸方向の長さＬ２が１０ｍｍに形成されている。喉部６２の周壁には開口部６２ｂが開口する。開口部６２ｂには配管４１ａにより水タンク４７が接続される。配管４１ａ上にはポンプ（不図示）が設けられる。水タンク４７には洗浄用の氷を生成する市水が貯溜される。噴射ノズル４５内には開口部６２ｂを介して噴射ノズル４５の軸方向に略垂直な方向に給水される。
【００３３】
拡大管部６３は喉部６２の下流に連続して配され、下流側に向かって流路面積を漸次拡大する。筒部６５は拡大管部６３の下流に連続して配され、流路面積が略一定の円筒状に形成される。筒部６５の下流端には噴射口４６が開口する。本実施形態では拡大管部６３の軸方向の長さＬ３が３４．８２ｍｍに形成される。また、拡大管部６３の内壁６３ａの軸方向に対する傾斜角度βを３°に形成している。これにより、筒部６５の内径Ｄ３は６．３５ｍｍに形成される。
【００３４】
コンプレッサ４３の駆動により噴射ノズル４５には配管４１ｂを介して所定流量の圧縮空気（例えば、３５０Ｌ／ｍｉｎ）が供給される。また、ポンプの駆動により噴射ノズル４５には配管４１ａを介して所定流量の水（例えば、１ｃｍ3／ｍｉｎ）が気流に略垂直方向に供給される。
【００３５】
縮小管部６１に流入した気流は流路面積が漸次縮小されるため加速され、喉部６２内を音速または超音速で流通する。開口部６２ｂから供給された水は高速の気流によって分散され、微細な水滴になる。音速または超音速の気流は拡大管部６３に流入すると、更に加速して超音速で流通する。この時、気流が膨張して拡大管部６３内の圧力及び温度が低下し、水滴が冷却されて過冷却の水滴及び微細な氷粒子Ｗ１が生成される。
【００３６】
また、拡大管部６３の内壁６３ａの傾斜角度βは、喉部６２を気流が音速以上で流通した際に内壁６３ａ上に水滴が付着して滞留する角度（本実施形態では３゜）に形成される。内壁６３ａ上に付着した水滴は滞留によって冷却時間が長くなるため、水滴を十分凍結させて氷粒子Ｗ１の生成量を増加させることができる。
【００３７】
傾斜角度βが大きすぎると、気流が内壁６３ａから乖離して気流に含まれる水滴を内壁６３ａ上に付着させることが困難になる。一方で、傾斜角度βが小さすぎると、内壁６３ａに付着した水滴が気流によって下流に流されるため水滴を滞留させることが困難になる。このため、傾斜角度βは１．５°〜６°に形成される。
【００３８】
内壁６３ａ上で凍結して堆積した氷Ｗ２は気流により剥離し、噴射口４６から氷粒子Ｗ１及び過冷却の水滴が噴射される。これにより、氷粒子Ｗ１の噴射量を増加させることができるとともに、内壁６３ａ上に氷Ｗ２が堆積するため氷粒子Ｗ１の粒径を大きくすることができる。尚、気流は拡大管部６３の下流端で音速以下に急激に減速する。
【００３９】
また、喉部６２の長さＬ２が長いと、喉部６２の気流の粘着抵抗が大きくなるため、気流が加速しにくくなり所望の流速が得られない。また、喉部６２の長さＬ２が短いと、気流の粘着抵抗が小さいため加速されやすい。このため、内径の小さい拡大管部６３の上流端に氷Ｗ２が蓄積され、拡大管部６３が氷Ｗ２によって閉塞される可能性がある。このため、喉部６２の長さＬ２を５〜１５ｍｍに形成するとより望ましい。
【００４０】
図５は本実施形態の拡大管部６３内を観察した側面断面図を示している。図の左端が拡大管部６３の上流端から約５ｍｍの位置にあり、右端が拡大管部６３の上流端から約３０ｍｍの位置である。同図によると、内壁６３ａ上に氷Ｗ２が堆積した状態が観察される。
【００４１】
また、噴射ノズル４５から噴射された氷粒子Ｗ１はブロア２０の駆動によって前方の噴射口５６に導かれる。この時、加速部５８が内面を円錐面に形成して流路を絞っているので、噴射口４６から噴射された氷粒子Ｗ１が減速していても加速部５８内で氷粒子Ｗ１が再度加速される。加速部５８により加速された氷粒子Ｗ１は分散部６０を流通し、矢印Ｅ（図３参照）に示すように噴射口５６から所望の分散密度で噴射される。
【００４２】
尚、噴射ノズル４５は圧縮空気及び水の供給により氷粒子Ｗ１を噴射する氷粒子噴射装置を構成する。また、噴射ノズル４５を含む噴射ノズル５５も圧縮空気及び水の供給により氷粒子を噴射する氷粒子噴射装置を構成する。
【００４３】
上記構成の洗車機ＷＡにおいて、ユーザが運転して被洗浄車両ＣＡをリモートパネル７Ａの面前で停車させ、被洗浄車両ＣＡの洗車条件の設定を被洗浄車両ＣＡ内から行う。洗車条件が設定されると洗車機本体１が前後方向に移動し、コンプレッサ４３及びブロア２０を駆動して洗浄装置４０による洗浄が開始される。この時、形状センサ８、９の検知結果に基づいて、噴射ノズル５５の噴射口５６が被洗浄車両ＣＡから所定距離（例えば、３００ｍｍ）離間した位置を保持する。
【００４４】
洗浄装置４０による洗浄が開始されると、噴射ノズル５５の噴射口５６から被洗浄車両ＣＡに向けて氷粒子Ｗ１及び過冷却の水滴が噴射される。この時、過冷却の水滴は衝突時の衝撃により氷粒子に相変化し、氷粒子Ｗ１の一部は融解する。これにより、氷粒子Ｗ１と水とが混合したシャーベット状の洗浄材によって被洗浄車両ＣＡが洗浄される。
【００４５】
洗浄装置４０による洗浄が終了すると、乾燥装置２５による乾燥工程が行われる。乾燥工程ではブロア２０を駆動してトップ送風ノズル２１及びサイド送風ノズル２２から空気が送出され、被洗浄車両ＣＡの乾燥が行われる。
【００４６】
本実施形態によると、喉部６２を有した縮小拡大管から成る噴射ノズル４５を備え、喉部６２に給水して一端の流入口６４ａから圧縮空気を供給することにより氷粒子Ｗ１を生成し、噴射口４６から氷粒子Ｗ１を噴射して被洗浄車両ＣＡを洗浄する。これにより、微細な氷粒子Ｗ１を容易に生成することができ、氷粒子Ｗ１によって被洗浄車両ＣＡに対する洗浄力を向上することができる。
【００４７】
また、噴射ノズル４５が縮小管部６１と拡大管部６３との間に流路面積が略一定の喉部６２を有する。そして、拡大管部６３の内壁６３ａ上に水滴を滞留させて凍結し、内壁６３ａ上に堆積した氷Ｗ２を気流により剥離して噴射する。このため、滞留によって水滴の冷却時間が長くなり、氷粒子Ｗ１の生成量を増加させることができる。また、拡大管部６３の内壁６３ａ上に氷Ｗ２が堆積するため、氷粒子Ｗ１の粒径を大きくすることができる。これにより、氷粒子Ｗ１の噴射量が増加するとともに噴射後の氷粒子Ｗ１の融解による減少が抑制される。従って、被洗浄車両ＣＡに到達する氷粒子Ｗ１の量を増加させることができ、被洗浄車両ＣＡに対する洗浄力を向上することができる。
【００４８】
また、拡大管部６３の内壁６３ａの軸方向に対する傾斜角度βを１．５°〜６°にしたので、拡大管部６３の内壁６３ａ上に水滴を確実に滞留させることができる。
【００４９】
また、喉部６２の軸方向の長さを５〜１５ｍｍにしたので、拡大管部６３の内壁６３ａ上に水滴をより確実に滞留させて氷Ｗ２を生成することができる。
【００５０】
また、喉部６２の周壁に設けた開口部６２ｂを介して気流に対して略垂直方向に給水したので、給水直後の水滴の気流方向の速度が小さくなる。従って、拡大管部６３の内壁６３ａ上に水滴をより確実に滞留させることができる。
【００５１】
また、噴射ノズル５５が噴射口４６を有した噴射ノズル４５を内装して一端にブロア２０（送風装置）が接続される。また、噴射ノズル５５が噴射口４６の下流に配した内面が円錐面の加速部５８と加速部５８の下流に配して噴射口５６を開口する円筒状の分散部６０とを有する。
【００５２】
このため、噴射口４６から噴射された所望の粒径の氷粒子Ｗ１がブロア２０から低圧気流を供給して加速部５８で加速される。また、分散部６０により所定の噴射角度αで氷粒子Ｗ１噴射口５６から噴射される。これにより、洗浄面に所望の粒径の高速の氷粒子Ｗ１が所望の面圧や流量で衝突する。従って、被洗浄車両ＣＡに対する洗浄力を向上することができる。また、高圧の圧縮空気が所望の粒径及び流量の氷粒子Ｗ１を得るために用いられ、低圧のブロア２０及び加速部５８によって高速の氷粒子Ｗ１が噴射される。このため、高圧の圧縮空気を大量に必要としないため洗浄コストを削減することができる。
【００５３】
また、加速部５８が分散部６０よりも軸方向に長いため、単位体積当たりの氷粒子Ｗ１の数量を所望の量に形成することができる。
【００５４】
本実施形態において、トップ洗浄部１１及びサイド洗浄部１２に回転ブラシを設けてもよい。これにより、被洗浄車両ＣＡの側面や上面の洗浄力をより向上することができる。また、喉部６２の周壁上の開口部６２ｂから水を供給しているが、他の部分から喉部６２内に進入するノズルにより水を供給してもよい。
【００５５】
尚、本実施形態の噴射ノズル４５によって微細な氷粒子Ｗ１を噴射する氷粒子噴射装置が構成され、氷粒子噴射装置によって被洗浄車両ＣＡを洗浄しているがこれに限られない。例えば、食器、医療器具、生鮮食品、電子部品等の被洗浄物を氷粒子噴射装置により洗浄してもよい。この時、圧縮空気以外に圧縮窒素等の他の圧縮気体を噴射ノズル４５に供給してもよく、噴射ノズル４５に純水を供給してもよい。被洗浄物が屋外に配される場合は、噴射ノズル４５に市水を供給する方が不純物は核となり、氷を生成しやすいのでより望ましい。
【００５６】
尚、なお、気流には空気の流れだけの構成だけでなく、空気と液体との混合の気液混合流や、空気と氷等の固体と液体との気固液混合流の構成であってもよい。
【産業上の利用可能性】
【００５７】
本発明によると、氷粒子を生成して噴射する氷粒子噴射装置及び氷粒子噴射方法に利用することができる。
【符号の説明】
【００５８】
１    洗車機本体
２    レール
３    車輪
４    トップ洗浄部
５    サイド洗浄部
７    操作パネル
１１    トップ洗浄部
１２    サイド洗浄部
２０    ブロア（送風装置）
２１    トップ送風ノズル
２２    サイド送風ノズル
２５    乾燥装置
３８    ダクトホース
４０    洗浄装置（氷粒子噴射装置）
４１ａ、４１ｂ    配管
４３    コンプレッサ
４５    噴射ノズル
４６    噴射口
４７    水タンク
４８    エアタンク
４９    冷却部
５５    噴射ノズル
５６    噴射口
５７    内装部
５７ａ  流入口
５８    加速部
６０    分散部
６１    縮小管部
６２    喉部
６２ａ  内壁
６２ｂ  開口部
６３    拡大管部
６３ａ  内壁
６４    筒部
６４ａ  流入口
６５    筒部
９０    スタンド部
９１    天井部
Ｅ      噴射方向
Ｓ      軸線
ＣＡ    被洗浄車両
Ｗ１    氷粒子
Ｗ２    氷
ＷＡ    洗車機
【図１】
2018001043.tif 000003
【図２】
2018001043.tif 000004
【図３】
2018001043.tif 000005
【図４】
2018001043.tif 000006
【図５】
2018001043.tif 000007